(57)【特許請求の範囲】
【請求項１】
建物の窓開口部から屋外側に張り出した床の外周部に設けられた壁体上に間隔をおいて支柱を立設し、支柱の上端に笠木を懸架したベランダにおいて、上記支柱の屋内側にパネルを配設するとともに、上記支柱の屋外面には突条を突出形成し、当該突条には上下方向に間隔をおいてワイヤ貫通孔を形成し、上記パネルの屋外側には複数の水平なワイヤを上記突条の貫通孔を貫通させて張設したことを特徴とするベランダ。
【請求項２】
上記突条は薄肉であることを特徴とする、請求項１に記載のベランダ。
【請求項３】
上記支柱の屋外側には上記突条が左右各１対形成されていることを特徴とする、請求項１又は２に記載のベランダ。
【請求項４】
上記ワイヤはベランダのコーナー部において上記パネルと干渉しないように張設されていることを特徴とする、請求項１〜３のいずれかに記載のベランダ。
【発明の詳細な説明】
【技術分野】
【０００１】
本発明は、屋外側に複数のワイヤを平行に配したベランダに関する。
【背景技術】
【０００２】
一般に、ベランダの周囲にはパラペットとよばれる壁が形成され、その上に手摺や笠木が設けられている。
【０００３】
ところが、壁は風や太陽光をさえぎってしまうので、最近は壁を低くし、壁体の上に複数の支柱を間隔をおいて立て、支柱間の空間を採光や通風に利用することが行われている。
【０００４】
たとえば、上記空間を採光用に利用するときは、壁を透明な樹脂パネルに代えればよい。ところが、樹脂パネルでは強度上問題があるので、樹脂パネルを屋外側から保護するための保護手段を設ける必要がある。保護手段が不透明なパネルや壁では保護としては十分であるが、採光が得られないので、樹脂パネルにした意味がなくなる。
【０００５】
そこで、樹脂パネルの保護手段として、ワイヤを樹脂パネルの屋外側に設け、ワイヤによって樹脂パネルを保護することが考えられている。ワイヤを張る場合は、特許文献１に示されるように、各支柱の所定位置にＪ型ボルトをナットで固定し、このＪ型ボルトにワイヤを通して支持することにより、ワイヤが垂れることなく、水平に張ることができる。
【特許文献１】実開昭５５−１７８０１６号
【発明の開示】
【発明が解決しようとする課題】
【０００６】
しかしながら、上述のような張設方式では、各支柱にいくつかのＪ型ボルトをナットで固定しなければならないので、部品点数が多くなるとともに、Ｊ型ボルトの取り付けに手数がかかり、時間もコストもかかってしまうという欠点があった。
【０００７】
このため、Ｊ型ボルトを使わないということも考えられるが、その場合は、ワイヤがたるんでしまい、見苦しくなってベランダの外観が損なわれるという問題がある。
【０００８】
本発明は、上記問題点を解消し、作業が簡単で、しかも外観を向上させることができるベランダを提供することをその課題とする。
【課題を解決するための手段】
【０００９】
前記課題を解決するため、請求項１に係る発明は、建物の窓開口部から屋外側に張り出した床の外周部に設けられた低壁上に間隔をおいて支柱を立設し、支柱の上端に笠木を懸架したベランダにおいて、上記支柱の屋内側にパネルを配設するとともに、上記支柱の屋外面には突条を突出形成し、当該突条には上下方向に間隔をおいてワイヤ貫通孔を形成し、上記パネルの屋外側には複数の水平なワイヤを上記突条の貫通孔を貫通させて張設したことを特徴とする。
【００１０】
請求項２に係る発明は、請求項１において、上記突条は薄肉であることを特徴とする。
【００１１】
請求項３に係る発明は、請求項１又は２において、上記支柱の屋外側には上記突条が左右各１対形成されていることを特徴とする。
【００１２】
請求項４に係る発明は、請求項１〜３のいずれかにおいて、上記ワイヤはベランダのコーナー部において上記パネルと干渉しないように張設されていることを特徴とする。
【発明の効果】
【００１３】
請求項１に係る発明によれば、パネルの屋外側にワイヤを張設することによってベランダの外観が向上する。しかも、パネルは透明なので、太陽光はパネルを透過して内側に差し込むから、屋内側が明るくなるだけでなく、遠くが見えるので、快適である。
【００１４】
パネルは支柱の屋内側に配設されているので、支柱がパネルの取付けの邪魔になることはない。また、パネルの屋外側には複数のワイヤを張設したので、万が一パネルが強風等で外れそうになっても、ワイヤが補助的にそれを防止できる。
【００１５】
通常は支柱が中空に形成されているから、一方の壁の孔を貫通させたワイヤをさらに対向する他方の壁の孔に導く作業は面倒であるが、支柱の屋外側に突出した突条の貫通孔を貫通させるので、貫通作業は格段に容易になる。
【００１６】
また、突条の貫通孔によって垂れることなく支持されるから、意匠性が高く、しかも屋外側からワイヤを見たときに、ワイヤが支柱で途切れることなく、通しのように見えるから見栄えがよい。したがって、外観に優れたベランダを提供することができる。
【００１７】
請求項２に係る発明によれば、突条は薄肉なので、中空の支柱にワイヤを貫通させる場合に比べ、ワイヤの貫通作業が格段に容易となり、作業がはかどる。
【００１８】
請求項３に係る発明によれば、支柱の屋外側の突条は左右１対形成されているので、ワイヤの支持力が高くなるほか、ワイヤをベランダの正面と側面からコーナー部に沿って良好にまわし処理することができる。
【００１９】
請求項４に係る発明によれば、ワイヤはベランダのコーナー部において上記パネルと干渉しないように張設されているから、ワイヤとパネルとが干渉し合って擦れて摩耗したり切れたりすることを有効に防止することができる。
【発明を実施するための最良の形態】
【００２０】
図１はベランダの主要部の斜視図、図２はその正面図、図３は図２のＸ−Ｘ線上の断面図であり、図４は図２のＹ−Ｙ線上の断面図である。
【００２１】
ベランダは、建物の窓開口部から屋外側に張り出した床１の外周部に設けられたコンクリート製の壁体２上に間隔をおいて支柱３を立設し、支柱３の上端に笠木４を懸架するとともに、上記支柱３の屋内側にパネル５を配設し、パネル５の屋外側に３本の水平なワイヤ６を張設したものである。
【００２２】
上記壁体２上にはアンカーベース７を介して支柱３の配設位置に中空の補強芯材８が固定されている。そして、壁体２上に配置されたパラペット笠木１０を貫通して上方に立設されている。
【００２３】
支柱３は、図４及び図７に示されるように、方形の支柱本体３ａの両側端から屋外側に２条の突条１１を突出したもので、支柱本体３ａは補強芯材８の外側に嵌合し、さらにビス止めされている。支柱３の下端にはカバー９が設けられている。
【００２４】
笠木４は上面が緩やかな円弧状をなし、図５に詳しく示されるように、屋内側には中空部１３が、屋外側には下側に開放するパネル取付溝１４が形成されている。上記中空部１３の下面には受け溝１５が形成され、支柱３の上端と笠木４とを連結するジョイント材１６の一部が嵌め込まれ、他の部分は笠木４の受け溝１５に設けられたビス受け１２にビス止め固定されている。ジョイント材１６は支柱３のビスホール１７（図７参照）にビス止め固定されているとともに、笠木４に固定されている。
【００２５】
また、パネル取付溝１４の両側の溝壁には、図５に示されるように、１対の突縁１８、１８が向き合いに形成され、各突縁１８には上胴縁２０がビス止め固定されている。上胴縁２０にはパネル５を挟持するビード材２８が取り付けられている。これに対して、支柱３の下部には図６に示すように固定ブラケット２１を介して下胴縁２２が配置されている。固定ブラケット２１の屋内側の上部には係止片２３、下部には支持片２４が形成され、これに対し、下胴縁２２は上記支持片２４上に支持され、ボルト、ナットで結合されている。下胴縁２２には、上方に開口するパネル嵌合溝２５が形成されている。そして、上胴縁２０と下胴縁２２のパネル嵌合溝２５にはビード材２８を介してパネル５が嵌合固定されている。パネル５はポリカーボネイトのような合成樹脂あるいは強化ガラス製の透明なパネルであればよい。
【００２６】
次に、支柱３の屋外面には図１、図４及び図７に示されるように、突条１１が突出形成され、突条１１の上、中、下部位置には間隔をおいてワイヤ貫通孔２６が形成されている。そして、３本のステンレス製、樹脂製等のワイヤ６がワイヤ貫通孔２６を貫通して水平に張設されている。ワイヤ６は緊張状態に張られるように、その端部は図４のように公知のワイヤ取付部材２７を介して端部支柱３の突条１１に固定されている。
【００２７】
なお、上記ワイヤ６は、図４に示されるように、ベランダのコーナー部においてパネル５が９０度に突き合わされた状態でも、ワイヤ６がパネル５に干渉しないように取り付けられている。つまり、ワイヤ６はパネル５の屋外側に設けられているので、パネル５との距離を大きく取ることができる。また、ワイヤ６を正面と側面との間のコーナー部に沿って回すときに、隣り合う支柱３の互いに近い方の突条１１を貫通しているので、コーナー部で干渉しないように配設することができる。したがって、ワイヤ６とパネル５とが干渉し合って擦れて摩耗したり切れたりすることを有効に防止することができる。
【００２８】
上述の構成によれば、屋外側にワイヤを張設することによってベランダの外観が向上する。しかも、パネル５は透明なので、太陽光はパネル５を透過して内側に差し込むから、屋内側が明るくなるだけでなく、屋内側からもパネル５を通して遠くが見えるので、開放感を得ることができる。
【００２９】
また、パネル５は支柱３の屋内側に配設されているので、支柱３がパネル５の取付けの邪魔になることはない。また、パネル５の屋外側には複数の水平なワイヤ６を張設したので、万が一パネル５が強風等で外れそうになっても、ワイヤ６が補助的にパネル５の脱落を防止できる。
【００３０】
通常は支柱３が中空に形成されているから、中空部分の壁にワイヤ貫通孔を形成すれば、一方の壁の孔を貫通させたワイヤをさらに対向する他方の壁の孔に通さなければならず、ワイヤ６の張設作業は面倒であるが、支柱３の屋外側に突出した薄肉の突条１１の貫通孔２６を貫通させるので、貫通作業は格段に容易になる。しかも。中空部分に穿孔する場合は、孔から雨水が内部に浸入し、さらに流れ落ちてパラペット笠木１０から壁体２にも浸入するので、支柱３自体の強度に影響するだけでなく、コンクリートの壁体２の劣化を促進することになるが、突条１１に穿孔する場合は支柱３自体の強度は損なわれず、壁体２に及ぼす影響もほとんどない。
【００３１】
また、ワイヤ６は突条１１の貫通孔２６によって垂れることなく支持されるとともに、パネル５から間隔を置いて張られるので、意匠性が高く、しかも支柱３の突条１１は板状で狭く、貫通の前後でワイヤ６の連続性が失われにくいから、屋外側からワイヤ６を見たときに、ワイヤ６が支柱３で途切れることなく、通しで張られているように見えるため見栄えがよい。したがって、外観に優れたベランダを提供することができる。
【００３２】
さらに、支柱３の屋外側の突条１１は左右１対形成されているので、ワイヤ６の支持力が高くなるほか、ワイヤ６をベランダの正面と側面からコーナー部に沿って良好にまわし処理することができる。
【００３３】
ワイヤ６はパネル５の屋外側に配置されているので、ベランダの床１を歩き回るときの足がかりになることはない。
【００３４】
なお、図５に示したように、笠木４の屋内側には中空部１３が、屋外側には下側に開放するパネル取付溝１４が形成されているので、図８および図９に示されるように、笠木４を屋外側と屋内側を逆にして取り付け、支柱３の下部の屋外側に上述の固定ブラケット２１を介して下胴縁２２を取り付け、パネル５の下部を嵌合することにより、支柱３の屋外側にパネル５を配設したベランダを設けることができる。したがって、専用の部材を必要とすることなしに、２種類のベランダを提供することができる。
【図面の簡単な説明】
【００３５】
【図１】本発明に係るベランダの斜視図
【図２】上記ベランダの一部の正面図
【図３】図２のＡ−Ａ線上の断面図
【図４】図２のＢ−Ｂ線上の断面図
【図５】図３の上部の拡大図
【図６】図３の下部の拡大図
【図７】図４の一部の拡大図
【図８】笠木を屋内外逆にして使用したベランダの斜視図
【図９】上記ベランダの縦断面図
【符号の説明】
【００３６】
３    支柱
４    笠木  
５    パネル
６    ワイヤ
１１  突条
２６  ワイヤ貫通孔
【図１】
0005001206.tif 000002
【図２】
0005001206.tif 000003
【図３】
0005001206.tif 000004
【図４】
0005001206.tif 000005
【図５】
0005001206.tif 000006
【図６】
0005001206.tif 000007
【図７】
0005001206.tif 000008
【図８】
0005001206.tif 000009
【図９】
0005001206.tif 000010